(57)【特許請求の範囲】
【請求項１】
フライホイールに固定され、クラッチの連結及び連結解除を行うためのクラッチカバー組立体であって、
外周部が前記フライホイールに固定されるクラッチカバーと、
前記クラッチカバーと前記フライホイールとの間に配置されるプレッシャープレートと、
前記クラッチカバーに支持され前記プレッシャープレートを前記フライホイール側に付勢する円板状の第１付勢部材と、
前記クラッチカバーの内周部と前記プレッシャープレートの内周部とを相対回転不能に連結するプレート部材とを備え、
前記プレート部材は、前記クラッチカバーに固定された環状部と、前記環状部に一体に形成され円周方向に弧状に延びて前記プレッシャープレートに固定される複数の連結部とからなる、
クラッチカバー組立体。
【請求項２】
前記第１付勢部材は、径方向外側部が前記プレッシャープレートを付勢しており、
前記クラッチカバーの内周部に設けられ、前記プレート部材を固定するとともに前記第１付勢部材の径方向中間部を支持するための支持機構をさらに備えた、請求項１に記載のクラッチカバー組立体。
【請求項３】
前記支持機構は、前記クラッチカバーから延びて前記第１付勢部材を貫通し前記プレート部材に固定される複数の固定部と、前記クラッチカバーと前記第１付勢部材との間及び前記プレート部材と前記第１付勢部材の間にそれぞれ配置された２本のワイヤリングとを有している、請求項２に記載のクラッチカバー組立体。
【請求項４】
フライホイールに固定され、クラッチの連結及び連結解除を行うためのクラッチカバー組立体であって、
外周部が前記フライホイールに固定されるクラッチカバーと、
前記クラッチカバーと前記フライホイールとの間に配置されるプレッシャープレートと、
前記クラッチカバーに支持され前記プレッシャープレートを前記フライホイール側に付勢する円板状の第１付勢部材と、
前記クラッチカバーの内周部と前記プレッシャープレートの内周部とを相対回転不能に連結するプレート部材とを備え、
前記第１付勢部材は、径方向外側部が前記プレッシャープレートを付勢しており、
前記クラッチカバーの内周部に設けられ、前記プレート部材を固定するとともに前記第１付勢部材の径方向中間部を支持するための支持機構をさらに備え、
前記支持機構は、前記クラッチカバーから延びて前記第１付勢部材を貫通し前記プレート部材に固定される複数の固定部と、前記固定部に固定されかつ前記プレート部材の一端が固定される環状の支持プレートとを有し、
前記クラッチカバーと前記支持プレートには、前記付勢部材を挟んで支持する環状突出部が形成されている、
クラッチカバー組立体。
【請求項５】
前記支持プレートに支持され、前記第１付勢部材の外周部を前記プレッシャープレートから離れる側に付勢する第２付勢部材をさらに備えている、請求項３または４に記載のクラッチカバー組立体。
【請求項６】
前記クラッチカバーと前記プレッシャープレートとを一体に固定するための固定部材をさらに備えている、請求項１〜５のいずれかに記載のクラッチカバー組立体。
【発明の詳細な説明】
【０００１】
【発明の属する技術分野】
本発明は、クラッチカバー組立体に関する。
【０００２】
【従来の技術】
一般に、クラッチカバー組立体は、エンジン側のフライホイールに外周部が固定されるクラッチカバーと、クラッチカバーとクラッチディスクとの間に配置されるプレッシャプレートと、クラッチカバーに支持されプレッシャプレートをフライホイール側に付勢する付勢部材とを備えている。さらに、プレッシャプレートの外周部にはストラッププレートの一端が固定されている。ストラッププレートの他端はクラッチカバーに固定されている。このストラッププレートにより、プレッシャプレートはクラッチカバーとともに一体回転する。
【０００３】
【発明が解決しようとする課題】
前記従来のクラッチカバー組立体では、ストラッププレートをたとえば円周方向に等間隔で３ヶ所に設けるために、クラッチカバーの外周部に大きな切欠きが形成されている。このため、クラッチカバーの強度が低下する。
本発明の課題は、クラッチカバーの強度を低下させることなくプレッシャプレートとクラッチカバーとを連結することにある。
【０００４】
【課題を解決するための手段】
請求項１に記載のクラッチカバー組立体は、フライホイールに固定され、クラッチの連結及び連結解除を行うためのものである。このクラッチカバー組立体は、クラッチカバーとプレッシャプレートと第１付勢部材とプレート部材とを備えている。クラッチカバーは外周部がフライホイールに固定される。プレッシャプレートはクラッチカバーとフライホイールとの間に配置される。第１付勢部材は、クラッチカバーに支持され、プレッシャプレートをフライホイール側に付勢する円板状の部材である。プレート部材は、クラッチカバーの内周部とプレッシャプレートの内周部とを相対回転不能に連結している。
【０００５】
このクラッチカバー組立体では、プレッシャプレートとクラッチカバーはお互いの内周部がプレート部材により相対回転不能に連結されている。これにより、クラッチカバーにおけるストラッププレート用の切欠きが不要になる。その結果、クラッチカバーの強度が向上する。
また、このクラッチカバー組立体では、プレート部材は、クラッチカバーに固定された環状部と、環状部に一体に形成され円周方向に弧状に延びてプレッシャプレートに固定される複数の連結部とからなる。プレート部材が一体の環状部と連結部とからなるため、部品点数が減る。
【０００６】
請求項２に記載のクラッチカバー組立体では、第１付勢部材は、径方向外側部がプレッシャプレートを付勢している。クラッチカバー組立体は、クラッチカバーの内周部に設けられ、プレート部材を固定するとともに第１付勢部材の径方向中間部を支持するための支持機構をさらに備えている。このクラッチカバー組立体では、支持機構がプレート部材を固定するとともに第１付勢部材を支持している。このように、支持機構に多機能を持たせることで部品点数が少なくなる。
【０００７】
請求項３に記載のクラッチカバー組立体では、支持機構は、クラッチカバーから延びて第１付勢部材を貫通しプレート部材に固定される複数の固定部と、クラッチカバーと第１付勢部材との間及びプレート部材と第１付勢部材との間にそれぞれ配置された２本のワイヤリングとを有している。
請求項４に記載のクラッチカバー組立体は、フライホイールに固定され、クラッチの連結及び連結解除を行うためのものである。このクラッチカバー組立体は、クラッチカバーとプレッシャプレートと第１付勢部材とプレート部材とを備えている。クラッチカバーは外周部がフライホイールに固定される。プレッシャプレートはクラッチカバーとフライホイールとの間に配置される。第１付勢部材は、クラッチカバーに支持され、プレッシャプレートをフライホイール側に付勢する円板状の部材である。プレート部材は、クラッチカバーの内周部とプレッシャプレートの内周部とを相対回転不能に連結している。第１付勢部材は、径方向外側部がプレッシャプレートを付勢している。クラッチカバー組立体は、クラッチカバーの内周部に設けられ、プレート部材を固定するとともに第１付勢部材の径方向中間部を支持するための支持機構をさらに備えている。支持機構は、クラッチカバーから延びて第１付勢部材を貫通しプレート部材に固定される複数の固定部と、固定部に固定されかつプレート部材の一端が固定される環状の支持プレートとを有している。クラッチカバーと支持プレートには、付勢部材を挟んで支持する環状突出部が形成されている。このクラッチカバー組立体は、ワイヤリングが省略されており、部品点数が少なくなっている。
【０００８】
請求項５に記載のクラッチカバー組立体は、支持プレートに支持され、第１付勢部材の外周部をプレッシャプレートから離れる側に付勢する第２付勢部材をさらに備えている。この第２付勢部材により、第１付勢部材におけるレリーズ荷重が少なくなる。これによりクラッチペダルの踏力が軽減される。
請求項６に記載のクラッチカバー組立体は、クラッチカバーとプレッシャプレートとを一体に固定するための固定部材をさらに備えている。このようにクラッチカバーとプレッシャプレートとを一体に固定すると、第１付勢部材の荷重が両部材間で相殺されるために、クラッチカバーとプレッシャプレートとが互いに離れなくなっている。この結果、固定部材を設けた状態でクラッチカバー組立体をたとえばフライホイールに固定するのが容易になる。また、取り外す作業も容易になる。
【０００９】
【発明の実施の形態】
第１実施形態
図１〜図３に示す本発明の第１実施形態としてのクラッチ装置１は、主に、フレキシブルプレート３とイナーシャ部材４と粘性ダンパー機構５とフライホイール７とクラッチカバー組立体８とクラッチディスク組立体１０とから構成されている。図２及び図３の左側にはエンジン（図示せず）が配置されており、右側にはトランスミッション（図示せず）が配置されている。
【００１０】
フレキシブルプレート３は、円板状のプレート部材であり、内周部に円板状のプレート部材１１がリベット１２により固定されている。フレキシブルプレート３の内周部はプレート部材１１とともにエンジン側のクランクシャフト５２に固定される。フレキシブルプレート３の径方向中間部には、円周方向に等間隔で形成された複数の丸い孔３ａが形成されている。フレキシブルプレート３は円周方向には剛性が高いが曲げ方向にはたわみ可能である。
【００１１】
フレキシブルプレート３の外周端には、リベット１３によりイナーシャ部材４が固定されている。イナーシャ部材４は、軸方向に長く延びる筒状の部材である。また、イナーシャ部材４にはリングギア１６が固定されている。イナーシャ部材４には、円周方向に等間隔で３ヶ所に内周側と外周側とを連通する操作孔４ｂが形成されている。
【００１２】
粘性ダンパー機構５は、主に、第１入力プレート１８と第２入力プレート１９と曲がり板ばね２３とドリブン部材２４とから構成されている。第１入力プレート１８はフレキシブルプレート３の側方に配置された円板状のプレート部材である。第１入力プレート１８の外周部はイナーシャ部材４の内周面に当接している。また、第１入力プレート１８の内周部は、トランスミッション側に延びる内周突出部１８ｂとなっている。第１入力プレート１８の径方向中間部は、図２及び図３から明らかなようにエンジン側に突出している。第２入力プレート１９は、第１入力プレート１８の側方に配置された円板状のプレート部材である。第２入力プレート１９の外周端はイナーシャ部材４の内周面に当接している。また、第２入力プレート１９の外周部と第１入力プレート１８の外周部とは互いに当接しており、リベット２１により互いに固定されており、その間にはシールリング２２が配置されている。第２入力プレート１９の内径は第１入力プレート１８の内径よりも大きい。
【００１３】
さらに、第１及び第２入力プレート１８，１９の外周部は、図１及び図３に示すように、円周方向に等間隔で３ヵ所に３本ずつのボルトによってイナーシャ部材４に固定されている。ボルト２０は、クラッチカバー３１の延長部３１ａ（後述）間を通ってトランスミッション側から固定される。また、各ボルト２０に対応する部分にはイナーシャ部材４に溝４ａが形成されている。
【００１４】
第１入力プレート１８と第２入力プレート１９とによって形成される空間は、作動油等の粘性流体が充填された粘性流体充填室となっている。この粘性流体充填室内には、１対の曲がり板ばね２３が配置されている。曲がり板ばね２３は、図１から明らかなように、交互に折曲げられて円弧状に延び、レバー部と環状の開環部が交互に連続している。この曲がり板ばね２３を用いることで従来のコイルスプリングを用いる場合に比べて粘性ダンパー機構５の軸方向の寸法が小さくなっている。
【００１５】
ドリブン部材２４は円板状の部材であり、円板部分から一体に径方向外側に延びる係合部２４ａを有している。係合部２４ａは粘性流体充填室内に延びており、それぞれ１対の曲がり板ばね２３の円周方向両端に当接している。また、第１及び第２入力プレート１８，１９は、軸方向に突出し曲がり板ばね２３の円周方向両端に当接する支持部１８ａ，１９ａを有している。
【００１６】
フライホイール７は、トランスミッション側に環状の摩擦面７ａを有している。また、フライホイール７には、両面を連通する連通孔７ｂが形成されている。フライホイール７の内周端には、ドリブン部材２４がリベット２９により固定されている。フライホイール７とドリブン部材２４の内周部は、軸受２８を介して第１入力プレート１８の内周突出部１８ｂに支持されている。フライホイール７の外周面には円周方向に等間隔で３ヵ所に係合部７ｃが形成されている。係合部７ｃは径方向外側に突出している。また、係合部７ｃのエンジン側端面は径方向内側にいくに従って深くなるように傾斜している。
【００１７】
クラッチカバー組立体８は、主に、クラッチカバー３１とプレッシャープレート３２とダイアフラムスプリング３３と連結プレート３４とスタッドピン３５と２本のワイヤリング３６とコーンスプリング３８とから構成されている。クラッチカバー３１は、真ん中に大径の孔が形成された皿形状であり、その外周部には円周方向に等間隔で所定の幅を有してフライホイール７側に延びる延長部３１ａが形成されている。延長部３１ａの先端には内周側に折り曲げられた折曲げ部３１ｂが形成されており、この折曲げ部３１ｂはフライホイール７の係合部７ｃに係合している。これにより、クラッチカバー３１はフライホイール７に対してトランスミッション側に移動不能になっている。また、延長部３１ａの先端には円周方向に延びる切欠きが形成されており、この切欠きには同じく円周方向に延びるプレート４２が係合している。プレート４２はボルト４３によりフライホイール７の外周面に固定されている。このようにして、クラッチカバー３１はフライホイール７に対して円周方向に相対回転不能になっている。このようにフライホイールのボルト取付座を廃止することにより、フライホイール７が径方向に小型化している。
【００１８】
プレッシャープレート３２は、クラッチカバー３１内に配置された環状の部材である。プレッシャープレート３２には、フライホイール７の摩擦面７ａに対向する押圧面３２ａが形成されている。また、プレッシャープレート３２において押圧面３２ａと反対側の面にはトランスミッション側に突出する環状突出部３２ｂが形成されている。さらに、プレッシャープレート３２には径方向内側に延びるフランジ部３２ｃが形成されている。
【００１９】
ダイアフラムスプリング３３は円板状の部材であり、その外周端はプレッシャープレート３２とクラッチカバー３１との間に挿入されており、内周端はメインドライブシャフト５０の近傍まで延びている。このダイアフラムスプリング３３には、内周縁から径方向外側に向かって複数のスリットが形成されており、そのスリットにより複数のレバー部３３ａが形成されている。各スリットの径方向外方部は、第１孔３３ｃとなっている。また、各スリットにおいて円周方向に等間隔で３ヶ所には第２孔３３ｄが形成されている。第２孔３３ｄは第１孔３３ｃより径方向内方に長く延びており、プレッシャープレート３２のフランジ部３２ｃ付近まで延びている。ダイアフラムスプリング３３においてレバー部３３ａより径方向外方に形成された環状押圧部３３ｂは内周端の両側面が後述するワイヤリング３６により支持されており、外周部がプレッシャープレート３２の環状突出部３２ｂに当接している。
【００２０】
クラッチカバー３１の内周部に固定された複数のスタッドピン３５は、ダイアフラムスプリング３３の第１孔３３ｃを貫通してプレッシャープレート３２側に延びている。各スタッドピン３５の他端には、連結プレート３４が固定されている。各スタッドピン３５より外周側において連結プレート３４とダイアフラムスプリング３３との間及びダイアフラムスプリング３３とクラッチカバー３１との間にはそれぞれワイヤリング３６が配置されている。すなわち、ダイアフラムスプリング３３の環状押圧部３３ｂの内周部は１対のワイヤリング３６に挟まれて支持されている。
【００２１】
連結プレート３４は環状の部材であり、その内周部には、円周方向Ｒ1 側に長く延びる３本の連結部３４ａが一体に形成されている。この連結部３４ａの先端は、リベット３７によりプレッシャープレート３２のフランジ部３２ｃに固定されている。リベット３７の位置はダイアフラムスプリング３３の第２孔３３ｄに対応している。連結部３４ａは円周方向に剛性が高くかつ軸方向にたわみ可能となっている。連結部３４ａはプレッシャープレート３２をフライホイール７側から離れる方向に付勢している。
【００２２】
コーンスプリング３８は、連結プレート３４の外周部に配置されている。コーンスプリング３８の内周端は連結プレート３４に支持され、外周端がダイアフラムスプリング３３の外周端すなわちプレッシャープレート３２の環状突出部３２ｂに近接する部分をプレッシャープレート３２から離れる方向に付勢している。以上に述べたように、連結プレート３４はクラッチカバー３１とプレッシャープレート３２を連結するとともに、コーンスプリング３８とワイヤリング３６を支持している。以上のように連結プレート３４に多機能を持たせることで部品点数が少なくなる。
【００２３】
複数の係止部材４０は固定ピン３９によりプレッシャープレート３２に固定され、一端がダイアフラムスプリング３３の外周端部をプレッシャープレート３２の環状突出部３２ｂとの間に挟持している。
クラッチディスク組立体１０は、フライホイール７の摩擦面７ａとプレッシャープレート３２の押圧面３２ａとの間に配置される摩擦フェーシング４５を有している。摩擦フェーシング４５は、プレート部材を介してハブ４６に固定されている。
【００２４】
トランスミッション側から延びるメインドライブシャフト５０は、ハブ４６にスプライン係合している。また、メインドライブシャフト５０の先端は、クランクシャフト５２に軸受５１を介して回転自在に支持されている。また、ダイアフラムスプリング３３の内周端には、トランスミッション側からレリーズ装置５４が当接している。
【００２５】
なお、図１においてはボルト４９が図示されているが、クラッチ装置１の使用時にはこのボルト４９は用いられない。ボルト４９はクラッチカバー組立体８をフライホイール７に組み付け又は分解するときに用いる。複数のボルト４９は、クラッチカバー３１の内周端に形成された孔を貫通してさらにダイアフラムスプリング３３の第１孔３３ｃを貫通してさらに連結プレート３４を貫通してプレッシャープレート３２に先端が螺合している。
【００２６】
次にクラッチ装置１の動作について説明する。
エンジン側のクランクシャフトが回転すると、トルクがフレキシブルプレート３，粘性ダンパー機構５を介してフライホイール７に伝達され、さらにクラッチディスク組立体１０に伝達され最後にメインドライブシャフト５０に出力される。プレッシャープレート３２は、連結プレート３４を介してクラッチカバー３１と一体回転する。このようにプレッシャープレート３２の回転駆動はプレッシャープレート３２の内周部とクラッチカバー３１の内周部とを連結する連結プレート３４で行われているために、従来のようにクラッチカバー３１の外周部にストラッププレートを収容するための切欠きを設ける必要がない。このため、クラッチカバー３１の強度が向上している。
【００２７】
イナーシャ部材４が第１及び第２入力プレート１８，１９に固定されているため、曲がり板ばね２３を境として入力系と出力系に分かれる動力の入出力系において入力系の慣性モーメントを十分に確保できる。イナーシャ部材４が外周部に配置されているため、粘性流体充填室を構成する部材である第１及び第２入力プレート１８，１９を軸方向に薄くできる。その結果、クラッチ装置１全体が軸方向に小型化される。さらに、イナーシャ部材４は軸方向に長く延びているため、クラッチ装置１全体はあまり径方向に大型化しない。このようにイナーシャ部材４を粘性ダンパー機構５の外周部に設けても装置が径方向に大型化しなくなったのは、フライホイール７からクラッチ取付け座を廃止して、イナーシャ部材４をより径方向内側に配置できるようになったからである。
【００２８】
エンジン側から曲げ振動が伝達された場合には、フレキシブルプレート３が曲げ方向にたわむことで曲げ振動を吸収する。
エンジン側から捩じり振動が伝達されると、第１及び第２入力プレート１８，１９とフライホイール７とが周期的な相対回転を行う。このとき、曲がり板ばね２３が円周方向に圧縮され、粘性流体充填室内において曲がり板ばね２３と第１及び第２入力プレート１８，１９との間を粘性流体が流れ粘性抵抗を発生する。この結果、捩じり振動が効果的に減衰される。
【００２９】
運転者がクラッチペダルを踏むと、レリーズ装置５４の一端がダイアフラムスプリング３３の内周端をエンジン側に移動させる。その結果、ダイアフラムスプリング３３の外周端部がプレッシャープレート３２の環状突出部３２ｂから離れる。すると、連結プレート３４の連結部３４ａの付勢力により、プレッシャープレート３２がクラッチディスク組立体１０の摩擦フェーシング４５から離れる。この結果、フライホイール７からクラッチディスク組立体１０へのトルク伝達が遮断される。以上に述べたレリーズ動作時に、コーンスプリング３８がダイアフラムスプリング３３にトランスミッション側への荷重を与えているので、レリーズ荷重が下がり、ペダル踏力が低減される。
【００３０】
このクラッチ装置１を組み立てる際には、予めフライホイール７とクラッチカバー組立体８とを固定しておく。具体的には、初めにボルト４９によりクラッチカバー組立体８とプレッシャープレート３２とを軸方向に移動不能になるように固定する。このボルト４９により、ダイアフラムスプリング３３からの荷重にもかかわらずクラッチカバー３１とプレッシャープレート３２は近接した状態を保っている。この状態のクラッチカバー組立体８をフライホイール７側に接近させ、クラッチカバー３１の延長部３１ａをフライホイール７の係合部７ｃ間の隙間を通して移動させる。その状態でクラッチカバー組立体８を回転させ、折曲げ部３１ｂを係合部７ｃに係合させる。次に、ボルト４３とプレート４２とを操作孔４ｂから操作してフライホイール７に固定することにより、クラッチカバー３１とフライホイール７とは相対回転不能となる。ボルト４９を外すと、ダイアフラムスプリング３３によりプレッシャープレート３２とクラッチカバー３１とは軸方向に離れる方向に付勢され、これにより折曲げ部３１ｂと係合部７ｃとが軸方向に固く連結される。
【００３１】
粘性ダンパー機構５，フライホイール７，クラッチカバー組立体８及びクラッチディスク組立体１０とからなる機構は、複数のボルト２０により、フレキシブルプレート３及びイナーシャ部材４に固定される。ボルト２０は、クラッチカバー３１の延長部３１ａが形成されていない部分及びフライホイール７の係合部７ｃが形成されていない部分及びイナーシャ部材４の溝４ａを貫通して、第１及び第２入力プレート１８，１９の外周部をイナーシャ部材４に固定する。このようにボルト２０をトランスミッション側から固定することで従来より作業性が良くなっている。ボルト２０をトランスミッション側から固定可能となったのは、フライホイールのボルト取付座を廃止して、ボルト２０をより径方向内側に配置できるようになったためである。
【００３２】
クラッチディスク組立体１０を交換する際には、再びボルト４９によりクラッチカバー３１とプレッシャープレート３２を固定する。次に、ボルト４３及びプレート４２を外し、次にクラッチカバー組立体８を回転させ折曲げ部３１ｂと係合部７ｃとの係合を外す。以上に述べたように、クラッチディスク組立体１０を交換する際に、クラッチカバー組立体８をフライホイール７から取り外すだけで良いので作業が簡単である。クラッチカバーの外周部がフライホイールにかしめられていた場合には、フライホイールも同時に取り外さなければならない。また、クラッチカバー３１はフライホイール７に対して円周方向に係合及び離脱可能であるために、フライホイール７から取り外す際に破損することがない。そのため、取り外し後の再利用が可能である。
第２実施形態
図４に示すクラッチカバー組立体８では、第１実施形態に比べてワイヤリングが廃止されることで部品点数が少なくなっている。その代わりに、クラッチカバー３１と連結プレート３４とにそれぞれ環状屈曲部３１ｃ，３４ｃが形成されている。環状屈曲部３１ｃ，３４ｃはダイヤフラムスプリング３３を軸方向両側から挟んでいる。
第３実施形態
図５に示すクラッチカバー組立体８では、第１実施形態に比較してコーンスプリング３８が廃止されている。
【００３３】
コーンスプリング３８によって得られる効果以外の効果は第１実施形態と同様である。
第４実施形態
図６に示すクラッチカバー組立体８では、図４に示す第２実施形態に比較してコーンスプリング３８が廃止されている。コーンスプリング３８以外の効果は第２実施形態と同様である。
第５実施形態
図７及び図１１に示すクラッチカバー組立体８では、クラッチカバー３１に固定されたスタッドピン３５の先端にはプレート部材４８と複数のプレートが重なってなるストラッププレート４７が固定されている。プレート部材４８は環状の部材であり、ワイヤリング３６を支持するとともにコーンスプリング３８を支持している。各ストラッププレート４７の他端はプレッシャープレート３２のフランジ部３２ｃにリベット３７より固定されている。このようにしてストラッププレート４７はプレッシャープレート３２がクラッチカバー３１と一体回転するように連結しかつプレッシャープレート３２をフライホイール側から離れるように付勢する。この場合も、クラッチカバー３１とプレッシャープレート３２とを両方の内周側で固定しているため、クラッチカバー３１に従来のようにストラッププレートを収容するための切欠きを設ける必要がない。その結果、クラッチカバー３１の強度が向上している。さらに、プレート部材４８はワイヤリング３６とコーンスプリング３８との支持を行っている。
第６実施形態
図８に示すクラッチカバー組立体８は、第５実施形態に比較して、ワイヤリング３６を廃止している。その代わりに、クラッチカバー３１とプレート部材４８とにそれぞれ環状屈曲部３１ｃ，４８ｃを形成している。これら環状屈曲部３１ｃ，４８ｃはダイアフラムスプリング３３を軸方向両側から支持している。
第７実施形態
図９に示すクラッチカバー組立体８は、第５実施形態に比較してコーンスプリング３８を省略している。その他の効果は同様である。
第８実施形態
図１０示すクラッチカバー組立体８は、第６実施形態に比較してコーンスプリング３８を省略している。それ他の効果は同様である。
第９実施形態
図１２に示すクラッチ装置１は、フレキシブルプレート３と、フライホイール７と、クラッチカバー組立体８とから構成されている。フレキシブルプレート３の外周部はボルト６０によりフライホイール７に固定されている。フライホイール７の外周面には、円周方向に等間隔で係合部７ｃが形成されている。
【００３４】
クラッチカバー組立体８は、クラッチカバー３１とプレッシャープレート３２とダイアフラムスプリング３３とから構成されている。クラッチカバー３１の外周部には、係合部７ｃに係合する折り曲げ部３１ｂが形成されている。折り曲げ部３１ｂは係合部７ｃに対して円周方向から係合・離脱可能である。プレッシャープレート３２とフライホイール７の間には、クラッチディスクの摩擦フェーシング４５が配置されている。
【００３５】
この実施形態では、フライホイール７とクラッチカバー組立体８を一体化することで、フレキシブルプレート３との固定が容易になる。
【００３６】
【発明の効果】
本発明に係るクラッチカバー組立体では、プレッシャプレートとクラッチカバーとはお互いの内周部がプレート部材により相対回転不能に連結されている。これにより、クラッチカバーにおけるストラッププレート用の切欠きも不要になる。その結果、クラッチカバーの強度が向上する。
【００３７】
プレート部材が一体に形成された環状部と連結部とからなる場合は、部品点数が減る。
支持機構がプレート部材を固定するとともに第１付勢部材を支持しており、支持機構に多機能を持たせることで部品点数が少なくなる。
クラッチカバーと支持プレートに付勢部材を挟んで支持する環状突出部が形成されていると、ワイヤリングを省略でき、部品点数が減る。
【００３８】
クラッチカバーとプレッシャプレートとを固定部材で一体に固定すると、第１付勢部材の荷重が両部材間で相殺されるために、クラッチカバーとプレッシャプレートとが互いに離れなくなる。この結果、固定部材を設けた状態でクラッチカバー組立体をたとえばフライホイールに固定するのが容易になる。また、取り外す作業も容易になる。
【図面の簡単な説明】
【図１】本発明の第１実施形態としてのクラッチ装置の段階的平面図。
【図２】クラッチ装置の断面図。
【図３】クラッチ装置の部分断面図。
【図４】本発明の第２実施形態としてのクラッチカバー組立体の断面図。
【図５】本発明の第３実施形態としてのクラッチカバー組立体の断面図。
【図６】本発明の第４実施形態としてのクラッチカバー組立体の断面図。
【図７】本発明の第５実施形態としてのクラッチカバー組立体の断面図。
【図８】本発明の第６実施形態としてのクラッチカバー組立体の断面図。
【図９】本発明の第７実施形態としてのクラッチカバー組立体の断面図。
【図１０】本発明の第８実施形態としてのクラッチカバー組立体の断面図。
【図１１】本発明の第５実施形態としてのクラッチカバー組立体の部分平面図。
【図１２】本発明の第９実施形態としてのクラッチ装置の断面図。
【符号の説明】
１  クラッチ装置
３  フレキシブルプレート
４  イナーシャ部材
５  粘性ダンパー機構
７  フライホイール
７ａ  摩擦面
７ｂ  連通孔
７ｃ  係合部
８  クラッチカバー組立体
１０  クラッチディスク組立体
３１  クラッチカバー
３１ｂ  折曲げ係合部
３２  プレッシャープレート
３２ａ  押圧面
３２ｂ  環状突出部
３２ｃ  フランジ部
３３  ダイアフラムスプリング
３４  連結プレート
３４ａ  連結部
３５  スタッドピン
３６  ワイヤリング
３８  コーンスプリング
４２  プレート
４３  ボルト
４５  摩擦フェーシング
４６  ハブ
【図１】
0003582905.tif 000002
【図２】
0003582905.tif 000003
【図３】
0003582905.tif 000004
【図４】
0003582905.tif 000005
【図５】
0003582905.tif 000006
【図６】
0003582905.tif 000007
【図７】
0003582905.tif 000008
【図８】
0003582905.tif 000009
【図９】
0003582905.tif 000010
【図１０】
0003582905.tif 000011
【図１１】
0003582905.tif 000012
【図１２】
0003582905.tif 000013